(57)【要約】【課題】  視覚障害者だけでなく健常者が判読できることはもちろん、視覚障害者が素早く正確に判読できるとともに、漢字やアルファベット、カタカナ、ハングル文字等のあらゆる言語の文字に適用するすることができ、また、道路案内図や公共案内版、商品の包装に付される内容表示や冊子の見出しだけでなく、冊子の本文としても適用可能な触覚または視覚による判読用文字印刷物を提供する。【解決手段】  文字を構成する画線上に所定の細さの線幅かつ所定の高さに盛り上げて形成された凸状細線２と、直線ないし曲線の端点６、角点７、曲極点８、変曲点９および交差点１０からなる要点を前記凸状細線２の線幅よりも大きな直径によって所定の高さの点状に盛り上げて形成された凸状要点３とを有している。【選択図】      図１
0003124456.tif 000002
【実用新案登録請求の範囲】
【請求項１】
文字を構成する画線上に所定の細さの線幅かつ所定の高さに盛り上げて形成された凸状細線と、素早く文字の構成を指で判読するために必要な直線ないし曲線の端点、角点、曲極点、変曲点および交差点からなる要点を前記凸状細線の線幅よりも大きな直径によって所定の高さの点状に盛り上げて形成された同一大で同一半球形状の凸状要点とを有していることを特徴とする触覚および視覚による判読用文字印刷物。
【請求項２】
請求項１において、前記要点のうち、曲極点のほかに変曲点を有する文字の場合には当該変曲点の凸状要点を省略し、文字の最上部の端点と交差する交差点を有する文字の場合には当該交差点の凸状要点を省略して構成することを特徴とする触覚および視覚による判読用文字印刷物。
【請求項３】
請求項１または請求項２において、凸状要点を凸状細線よりも高く盛り上げて形成したことを特徴とする触覚および視覚による判読用文字印刷物。
【請求項４】
請求項１ないし請求項３のいずれかにおいて、前記凸状細線と前記凸状要点との判別を容易化するために両者の接続部分に所定間隔の判別用隙間を形成してなることを特徴とする触覚および視覚による判読用文字印刷物。
【請求項５】
請求項１ないし請求項４のいずれかにおいて、前記凸状要点は、前記凸状細線の線幅の約１．５〜３．５倍の直径を有する同一大の同一半球形状に形成され、前記判別用隙間は、前記凸状要点の直径の約１／３〜１倍の間隔に形成されていることを特徴とする触覚および視覚による判読用文字印刷物。
【請求項６】
請求項１ないし請求項５のいずれかにおいて、前記凸状細線および前記凸状要点の背景に、前記凸状細線よりも線幅を大きく、かつ、膜厚を小さく形成した健常者用の画線が印刷されていることを特徴とする触覚および視覚による判読用文字印刷物。
【考案の詳細な説明】
【技術分野】
【０００１】
本考案は、視覚障害者にとっては目で見る代わりに指で触ることによって文字を判読することができ、また、健常者にとっては指で触ることのほか、目で見ることによっても文字を判読することができる判読用文字印刷物に関するものである。
【背景技術】
【０００２】
視覚障害者に対する文字情報の伝達手段のうち、目で見る代わりに指で触ることによる方法として、従来より点字が広く用いられている。点字は、縦三点横二列の六点の凸状の点の組み合わせによる六四種の記号を基本として、文字を表すものである。しかし、視覚障害者の５０％は中途失明者であるところ、通常の文字を目で見て判読していた経験のあるこれらの者にとっては、凸点の位置や数の組み合わせによる複雑な点字よりも、通常の文字を指で触ることにより判読する手段が望まれている。また、六点からなる点字には漢字がないため読解に時間がかかるところ、漢字を表す六点漢字や八つの点からなる点字が考案されたが、表記法が複雑であるため普及がすすんでいない。さらに、点字の表記法をマスターしても、表記法の方式が統一されていないために、異なる表記法で表された場合には、その点字を判読することができないという問題がある。
【０００３】
そこで、通常の文字を指で触ることにより判読するための通常の文字を特定の厚みに厚盛印刷した印刷物が提案されている（特許文献１）。また、「盛り上がった線とその文字を構成する線の書き順情報を持たせた立体的な文字体系」により、視覚障害者と健常者が共用できるような情報伝達手段が提案されている（特許文献２）。
【０００４】
一方、視覚障害者用の点字用の印刷物等の厚膜の印刷物の印刷方法として、あらかじめ製版を行うことなく印刷できるインクジェットプリンタによる厚膜の印刷物および印刷方法が提案されている（特許文献３）。
【０００５】
【特許文献１】特開平０９−１０１７４０号公報
【特許文献２】特開平１１−３３８３４３号公報
【特許文献３】特開２０００−３７９４３号公報
【考案の開示】
【考案が解決しようとする課題】
【０００６】
しかしながら、特開平０９−１０１７４０号公報に記載された考案においては、文字が一定の幅の画線で表されているだけであるため、直線の流れは判読できるものの、直線や曲線の端点、角点、交点、あるいは曲線の判読が難しく、多数の文字が記載された印刷物を読み進めるには一文字の判読に要する時間がかかり過ぎるという問題がある。また、特開平１１−３３８３４３号公報に記載された立体線画文字は、線画部分を盛り上げて印刷している他に、文字の書き順を認識させるためのＴ字型、二等辺三角形、ひし形等の立体図形を線の両端に盛り上げて形成しているが、単に線の両端のみを示すものであるため、書き順は認識できても、文字自体の把握情報には乏しく、やはり判読に時間がかかる。しかも二等辺三角形やひし形の立体図形に書き順情報の意味を持たせても複雑であって判読し難い上に、相当な印刷時間および印刷コストがかかるという問題がある。そもそも書き順を学ぶための立体線画文字に過ぎず、書籍を読むためのものとして文字が小さくなった場合には立体図形を指で触って認識することが難しいという問題がある。
【０００７】
他方、特開２０００−３７９４３号公報に記載された考案は、製版を行わないインクジェット方式による印刷であるため、道路案内図や公共案内版等の少量他品種の印刷には適しているが、冊子の本文のような大量印刷には不向きであるという問題がある。そこで、指で触って判読できる充分な厚みを有する印刷物を大量に印刷する方法が望まれている。
【０００８】
本考案は、このような問題点を解決するためになされたものであって、視覚障害者だけでなく健常者も一緒に判読できることはもちろん、視覚障害者が素早く正確に判読できるとともに、漢字やアルファベット、カタカナ、ハングル文字等の多種多様な文字を表示することができ、また、道路案内図や公共案内版、商品の包装に付される内容表示や冊子の見出しだけでなく、冊子の本文を判読する場合にも適用可能であり、視覚障害者が健常者と同様に読書ができる等のいわゆるノーマリゼーションの理念にも即する判読用文字印刷物を提供することを目的としている。
【課題を解決するための手段】
【０００９】
本考案に係る触覚および視覚による判読用文字印刷物の特徴は、文字を構成する画線上に所定の細さの線幅かつ所定の高さに盛り上げて形成された凸状細線と、素早く文字の構成を指で判読するために必要な直線ないし曲線の端点、角点、曲極点、変曲点および交差点からなる要点を前記凸状細線の線幅よりも大きな直径によって所定の高さの点状に盛り上げて形成された同一大で同一半球形状の凸状要点とを有している点にある。このような構成を採用したことにより、シャープな凸状細線と、文字の主要ポイントに設けた凸状要点とによって凹凸のメリハリが良くなり、指で触れたときの判読を容易にする。
【００１０】
また、本考案において、前記要点のうち、変曲点および交差点を凸状に形成せずに省略してもよく、これによれば、文字によっては凸状要点が混在しすぎるのを解消でき、判読に必要なポイント位置に設けることによって印刷コストや手間の低減につながる。
【００１１】
さらに、本考案において、凸状要点はインクの表面張力により凸状細線よりも高く盛り上げて形成され、文字構成の要点である凸状要点をより明確に認識できるため判読が容易になる。
【００１２】
さらにまた、本考案において、前記凸状細線と前記凸状要点との接続部分に所定間隔の判別用隙間を形成してなることが好ましい。このような構成によれば、凸状細線と凸状要点との判別がより明確となって、正確で素早く判読するのに効果的である。
【００１３】
また、本考案において、前記凸状要点は、前記凸状細線の線幅の約１．５〜３．５倍の直径を有する円形状に形成され、前記判別用隙間は、前記凸状要点の直径の約１／３〜１倍の間隔に形成されていることが好ましい。
【００１４】
さらに、本考案において、前記凸状細線および前記凸状要点の背景に、前記凸状細線よりも線幅を大きくして適度な太さにし、かつインク膜厚を通常程度に小さく形成した健常者用の画線が印刷されていてもよい。
【考案の効果】
【００１５】
本考案によれば、視覚障害者だけでなく健常者が判読できることはもちろん、視覚障害者が素早く正確に判読できるとともに、漢字やアルファベット、カタカナ、ハングル文字等のあらゆる言語の文字に適用するすることができ、また、道路案内図や公共案内版、商品の包装に付される内容表示や冊子の見出しだけでなく、冊子の本文としても適用可能であるため、障害者をもつ人々が、すべての人がもつ通常の生活を送ることができるようなノーマリゼーションを促すことができる。
【考案を実施するための最良の形態】
【００１６】
以下、本考案に係る判読用文字印刷物の実施の一形態について図面を用いて説明する。
【００１７】
図１は、本考案の第１実施形態における判読用文字１を示す平面図であり、図２は図１におけるＡ−Ａ線断面図であり、図３ないし図７は第１実施形態における判読用文字例である。図１１は本考案の第２実施形態における判読用文字４を示す斜視図であり、図１２ないし図１８は第２実施形態における判読用文字例である。また、図２２は用途別の製版およびインクの関連を示す表である。以下、本考案の実施形態について説明する。
【００１８】
『判読用文字印刷物及び印刷方法』
文字の基本構造は、直線または曲線からなる画線と、この画線上に存在する端点６、角点７、曲極点８、変曲点９、交差点１０からなる要点と、単点１１とからなる。本考案では、このような文字構成の特徴を踏まえた上で、視覚障害者が判読するために本来的に必要な要素を所定の凸状として強調して形成することにより判読のスピードと正確性を向上させ、さらには視覚健常者にとっても判読できるような文字として成立させている。
【００１９】
図１に示すように第１実施形態における判読用文字１は、凸状細線２と凸状要点３とによって構成されている。凸状細線２は、文字を構成する画線上に所定の細さの線幅かつ所定の高さに凸状に盛り上げて形成される。凸状要点３は、凸状細線２の線幅よりも大きな直径によって所定の高さの点状に盛り上げて形成される。
【００２０】
凸状に盛り上げられたインクの高さは、文字の大きさに応じて適宜設定してよいが、図２に示すように、凸状要点３が認識されやすいようにするため、凸状要点３を凸状細線２よりも若干高く盛り上げて形成するとよい。例えば、１文字あたりの大きさが縦２０ｍｍ、横２０ｍｍの場合、凸状細線２の高さが３００〜４００μｍに形成すれば、凸状要点３の高さは３５０〜５００μｍに形成するのが好ましく、このように大きく形成することによってそのインクの表面張力によっておのずと膜厚が高く形成される。他方、幅については、凸状細線２は指で触って認識しやすいようにシャープに形成されているのに対し、凸状要点３は凸状細線２と区別して認識されるように凸状細線２よりも幅が大きく形成されている。例えば、１文字あたりの大きさが縦２０ｍｍ、横２０ｍｍの場合、凸状細線２の幅は０．５〜１．０ｍｍに形成し、凸状要点３の幅は１．５〜３．５ｍｍに形成する。
【００２１】
ここで、要点とは、文字を構成・把握するに当たって主要なポイントとなる意味で定義されるものであり、本実施形態では、図３ないし図７に示すように、要点として、直線ないし曲線の端点６、角点７、曲極点８、変曲点９、および交差点１０が設定されている。端点６とは画線の始まりまたは終わりの点であり、角点７とは画線が折れ曲がる部分の極点である。曲極点８とは、曲線上における天地と左右の極点をいい、変曲点９とは、直線が曲線に変化する部分の極点をいう。交差点１０とは直線ないし曲線の画線が相互に交わる点をいい、これらの各要点を凸状に盛り上げた点を凸状要点３という。
【００２２】
さらに、アルファベット「ｉ］の点等は他の画線を必要とせず、単独で存在する単点１１と定義する。この単点１１も凸状に盛り上げて形成することで凸状単点４として表現される。なお、漢字の「犬」の点やひらがなの「び」等の濁点は、原則的には凸状単点４として扱われるが、大きな文字に形成する場合には、凸状細線２として形成してもよい。
【００２３】
そして、凸状要点３、凸状細線２、および凸状単点４を組み合わせることにより、片仮名、平仮名、アルファベット、数字、漢字、ハングル文字のほか様々な言語の文字を表すことができる。
【００２４】
なお、視覚障害者が本考案に係る判読用文字に接する機会が増え、その判読に慣れてくることが想定されるところ、一部の凸状要点３を省略したり、各文字に共通する部分をパターン化したり、他にない部分を省略したりすることにより、判読の簡便化を図ることも可能である。このような簡略化は印刷コストや印刷時間の低減にもつながる。
【００２５】
例えば、図８に示すように、アルファベットの大文字の「Ｄ、Ｕ」のように曲極点８のほかに変曲点９を有する文字において、この変曲点９を省略することができる。
【００２６】
また、図９に示すように、片仮名の「ナ、ウ、カ、ネ、ホ、ヤ」や平仮名の「あ、お、き、さ、す、た、ち、な、ぬ、は、ま、む、も、ゆ」、アルファベットの小文字の「ｆ、ｒ、ｔ」のように文字の上部分が最上部の端点６と交差点１０有する十字形を形成している場合には、交差点１０を省略することできる。
【００２７】
さらに、図１０に示すようにアルファベットの大文字の「Ａ」の屋根状の部分については他にない特徴であって判読が容易であることから、横棒「−」部分の交差点１０を省略することができる。
【００２８】
このような観点からいえば、所定の変曲点９や交差点１０は準要点と考えることができ、これを凸状に形成する場合には凸状準要点と称してもよい。そして、文字の特徴やニーズに応じてその凸状準要点を省略し、凸状準要点を除く主要な凸状要点３と凸状細線２だけでも判読に不具合が生じない場合が存在するのである。
【００２９】
以上のような本第１実施形態によれば、凸状細線２により文字の画線がシャープに盛り上がっているため、画線の存在を認識し易く、さらに凸状細線２よりも凸状要点３を高く盛り上がる場合には、凸状要点３の配置を手がかりとして、文字の形態を予想することができ、文字をより素早く判読することができる。また、凸状細線２と文字の折れ曲がる部分や曲線に変化する部分等に適宜配置された凸状要点３により文字の画線の長さや曲がり具合を表現することができるため、漢字等の複雑な文字にも好適といえる。
【００３０】
つぎに、本考案の第２実施形態について説明する。なお、本第２実施形態の構成のうち、第１実施形態で説明した構成と同等または相当する構成は同一の符号を付して再度の説明を省略する。
【００３１】
図１１に示すように本第２実施形態における判読用文字４には、凸状細線２と凸状要点３との接続部分に判別用隙間５が設けられている。判別用隙間５の間隔は任意に定めることができるが、例えば、１文字あたりの大きさが縦２０ｍｍ、横２０ｍｍの場合、凸状細線２の幅０．５〜２．０ｍｍ、凸状要点３の直径１．５〜３．５ｍｍに対して、判別用隙間５の間隔は凸状要点３の直径の約１／３〜１倍である０．５〜３．５ｍｍが好ましい。凸状に盛り上げられたインクの高さは、凸状要点３が凸状細線２よりもわずかに高く形成されており、凸状細線２の高さが３００〜４００μｍ、凸状要点３の高さが３５０〜５００μｍ、判別用隙間５にはインクが盛られていないため０μｍである。
【００３２】
図１２ないし図１８に示すように、凸状細線２、凸状要点３及び判別用隙間５の組み合わせにより、平仮名、片仮名、アルファベット、数字、漢字のほか、ハングル文字等のあらゆる言語の文字を表示することができる。
【００３３】
なお、漢字は字画が多いため、文字が小さくなると、短い画線の場合、判別用隙間５を設けて凸状細線２の両端に凸状要点３を付することが困難になる。そこで、一定の基準を設けて、判別用隙間５や凸状細線２、凸状要点３を省略することにより、簡略化を図ることができる。例えば、図１９に示すように、画線の長さに応じて、凸状細線２を省略して凸状要点３のみにしたり、判別用隙間５を設けずに凸状要点３につながる短い凸状細線２を付したり、判別用隙間５を設けずに凸状細線２の両端に凸状要点３を付すこと等が考えられる。また、図２０に示すように、漢字特有の「はね」については、判別用隙間５を設けずに凸状要点３に短い凸状細線２によって形成することが好ましい。さらに、図２１に示すように、１１画以上の画数が多い文字は、判読できることを確認した上で、すべての画線に対応する凸状要点３や判別用隙間５、凸状細線２を設定せずに、一定の基準に従って簡略化したものを標準化することが好ましい。
【００３４】
以上のような本第２実施形態によれば、第１実施形態の効果に加えて、判別用隙間５が設けられているため、凸状要点３の配置が認識し易く、文字の形態が予想し易いので素早く正確に判読することができる。また、文字の形態に応じて凸状細線２や凸状要点３を適宜省略することによって、効果的に判読させることが可能となる。
【００３５】
『用途別の印刷方法』
つぎに、本考案に係る判読用文字をどのような媒体に表現するかによって好適な印刷方法について検討した。本考案における判読用文字は、道路案内図や公共案内版、冊子の見出しだけでなく、冊子の本文にも適用可能である。そこで、シルクスクリーン印刷等の厚膜製版と普通製版について３種類のインクを用いて実験を行い、最小線幅および乾燥後のインクの高さを測定してみたところ、それぞれの用途に適した製版とインクの組み合わせが判明した。その組み合わせを示したのが図２２である。なお、本実験では、厚膜製版としてシルクスクリーン印刷方式を用い、スクリーンの繊維にはポリエステル糸を使い＃８０メッシュをバイアスに張った。
【００３６】
本考案に係る判読用文字を印刷するインクについては、指で触って判読でき、かつ、目で見て判読できることが必要であるため、厚盛性や発色性を満たす必要がある。また、複数ないし一人によって繰り返し触られることや印刷物が屋外に設置されたり、冊子内の文字である場合には紙やインクで盛り上げられた文字同士が擦れ合ったりすることが想定されるため、耐候性や寸法安定性が要求される。さらに、触感性を高めるため、凸状に固まったインクの頂上は球状の丸みがあるほうがよい。
【００３７】
これらの条件を満たすインクとしてはＵＶインク（紫外線硬化型インク）、水性発泡インク、エポキシ樹脂系インクがある。ＵＶインクは厚盛性、発色性、耐候性、寸法安定性のすべての面において優れている。エポキシ樹脂系インクは発色性において特に優れており、耐候性、寸法安定性についても優れている。水性発泡インクは耐候性については他のインクに比べて若干劣るものの、特に厚盛性に優れている。
【００３８】
本実験では、ＵＶインクとして、Ｙ０１３１（セイコウアドバンス製）にＳＯＸ７１０Ｃ他等の着色剤を配合したもの、および、レイキュアＯＰ４３００ＦＧ−２（十条化工製）を用い、紫外線を３５０ｍｊ／ｃｍ２以上照射した。水性発泡インクとしては、Ｗ４０（大日精化製）、シートソフター（ムラカミ製）を用いて、触指乾燥後さらに１２０〜１３０°Ｃで１分間乾燥させた。また、エポキシ樹脂系インクとしては＃１０００（セイコウアドバンス製）に硬化剤を配合したもの、および、Ｔセット（十条化工製）に硬化剤を配合したものを用いて、２０°Ｃで３０時間または８０°Ｃで４０分間乾燥させた。
【００３９】
また、製版用乳剤は、厚膜製版用乳剤としてＭＳＰ（ムラカミ製）、ＥＸ２２０（栗田化学研究所製）を使用し、耐水性の普通製版用乳剤としてＳＰ−１２００（ムラカミ製）、ＳＶ５０５（マイティ製）を使用した。
【００４０】
道路案内図や公共案内版等の表示用の文字としては、通常１文字あたりの大きさが縦２０ｍｍ、横２０ｍｍ以上であることが想定され、凸状細線２の太さが１．０ｍｍ以上であってもよいため、厚盛印刷に適した厚膜製版による印刷が可能である。厚膜製版において水性発泡インクを使用した場合は、インクが５００μｍ以上に盛り上がってしまうため、インクの厚みに爪などがひっかかり、インクが削れてしまう等保存性に欠ける。よって、厚膜製版にはＵＶインクまたはエポキシ樹脂系インクが適しているといえる。厚膜製版においてスクリーンの目止めとなる乳剤の設定乳剤膜厚を４００〜５００μｍに設定した場合、ＵＶインクまたはエポキシ樹脂系インクの最小線幅は０．５ｍｍである。また、乾燥させたインクの高さは、ＵＶインクで残留率１００％のところ３００〜５００μｍ、エポキシ樹脂系インクで残留率８０％のところ２５０〜４００μｍである。
【００４１】
一方、冊子内の文字としては通常１文字あたりの大きさが縦６ｍｍ、横６ｍｍないし縦１０ｍｍ、横１０ｍｍ程度であることが想定されるところ、凸状細線２の太さが０．３〜０．５ｍｍ程度でなければ表示が困難になってしまう。その場合、厚膜印刷は最小線幅が０．５ｍｍであるため、表示できない文字が生じる可能性が高くなり、普通製版でなければ安定した印刷ができない。普通製版により印刷する場合は、設定乳剤膜厚を厚膜製版ほど厚くすることができないため、ＵＶインクやエポキシ樹脂系インクではインクの盛り上がりが足りない。しかし、水性発泡インクを使用すれば充分な盛り上がりを確保することができる。また、冊子用の場合、表示用印刷物に比べて耐候性を重視する必要がないため、水性発泡インクを用いても本件考案の効果に支障なく充分効果を発揮することができる。
【００４２】
普通製版において設定乳剤膜厚を３０〜５０μｍに設定し、印刷後に予備乾燥したのち、さらに１２０〜１３０°Ｃで１分間乾燥させると、印刷された水性発泡インクは８〜１５倍に発泡し、３００〜５００μｍの盛り上がりを形成する。なお、冊子用の普通製版は、コストが厚膜印刷の１／４以下であるため、経済的である。
【００４３】
以上のように用途に応じた製版方法やインクを選択することにより、道路案内図や公共案内版、冊子の見出しだけでなく冊子の本文など各種の媒体に印刷することができるため、視覚障害者の文字情報に対するアクセスの機会を拡大することができ、ノーマリゼーションを促すことができる。
【００４４】
なお、本考案に係る触覚または視覚による判読用文字印刷物は、前述した各実施形態に限定されるものではなく、適宜変更することができる。
【００４５】
例えば、文字の表示については、上述の簡略化の例のほか、文字の大きさやパターン化による速読性を考慮して、凸状細線２や凸状要点３、判別用隙間５を適宜省略し簡略化することができる。
【００４６】
また、厚膜印刷として、シルクスクリーン印刷のほか、インクジェット印刷により印刷することもできる。
【図面の簡単な説明】
【００４７】
【図１】本考案の実施形態１における判読用文字１を示す平面図である。
【図２】図１におけるＡ−Ａ線断面図である。
【図３】第１実施形態における平仮名を示す平面図である。
【図４】第１実施形態における片仮名を示す平面図である。
【図５】第１実施形態におけるアルファベットを示す平面図である。
【図６】第１実施形態における数字を示す平面図である。
【図７】第１実施形態における漢字を示す平面図である。
【図８】変曲点９を省略した文字例である。
【図９】文字の上部分が最上部の端点６と交差点１０有する十字形を形成している場合に交差点１０を省略した文字例である。
【図１０】アルファベットの大文字の「Ａ」において交差点１０を省略した例である。
【図１１】本考案の第２実施形態における判読用文字１Ａを示す斜視図である。
【図１２】第２実施形態における平仮名を示す平面図である。
【図１３】第２実施形態における片仮名を示す平面図である。
【図１４】第２実施形態におけるアルファベット（大文字）を示す平面図である。
【図１５】第２実施形態におけるアルファベット（小文字）を示す平面図である。
【図１６】第２実施形態における数字を示す平面図である。
【図１７】第２実施形態における漢字を示す平面図である。
【図１８】第２実施形態におけるハングル文字を示す平面図である。
【図１９】短い画線における判別用隙間５や凸状細線２、凸状要点３を省略することにより、簡略化して表示した例である。（ａ）は画線の長さに応じて、凸状細線２を省略して凸状要点３のみにした場合、（ｂ）は判別用隙間５を設けずに凸状要点３につながる短い凸状細線２を付した場合、（ｃ）は判別用隙間５を設けずに凸状細線２の両端に凸状要点３を付した場合を示している。
【図２０】漢字の「はね」部分において判別用隙間５および凸状要点３を省略した例である。
【図２１】画数の多い文字において判別用隙間５および凸状要点３を省略した例である。
【図２２】用途別の製版およびインクの関連を示す表である。
【符号の説明】
【００４８】
１  第１実施形態における判読用文字
２  凸状細線
３  凸状要点
４  凸状単点
１Ａ  第２実施形態における判読用文字
５  判別用隙間
６  端点
７  角点
８  曲極点
９  変曲点
１０  交差点
１１  単点
【図１】
0003124456.tif 000003
【図２】
0003124456.tif 000004
【図３】
0003124456.tif 000005
【図４】
0003124456.tif 000006
【図５】
0003124456.tif 000007
【図６】
0003124456.tif 000008
【図７】
0003124456.tif 000009
【図８】
0003124456.tif 000010
【図９】
0003124456.tif 000011
【図１０】
0003124456.tif 000012
【図１１】
0003124456.tif 000013
【図１２】
0003124456.tif 000014
【図１３】
0003124456.tif 000015
【図１４】
0003124456.tif 000016
【図１５】
0003124456.tif 000017
【図１６】
0003124456.tif 000018
【図１７】
0003124456.tif 000019
【図１８】
0003124456.tif 000020
【図１９】
0003124456.tif 000021
【図２０】
0003124456.tif 000022
【図２１】
0003124456.tif 000023
【図２２】
0003124456.tif 000024